(57)【要約】      （修正有）【課題】内部に蕎麦殻や合成樹脂発泡ビーズあるいは合成樹発泡体等の中材を入れて枕とする枕カバーであって、枕カバーの生地を部分的に伸びや風合いを変えることで、枕自体の硬さを部分的に変えて、使用感に優れた枕とするための枕カバーを提供する。【解決手段】枕カバーＰＣを構成する複数の領域からなる生地の領域１，２が編布および／または織布からなり、編み方または織り方、糸の種類のうちの少なくとも１つまたは双方が異なる。使用する糸は、合成繊維、天然繊維、半合成繊維、再生繊維、これらの混合繊維の少なくとも１種からなり、太さ１００〜８００デニール、伸度１０〜１００％であり、枕カバーＰＣに、中材として見掛け密度が１５〜２０ｋｇ/ｍ３で、ＪＩＳＫ６４００−２  ２０１２の硬さが３０〜８０Ｎの発泡ウレタンを挿入した際の、隣り合う領域１，２の一方の領域の４０％圧縮硬さが、他方の領域の４０％圧縮硬さの１０〜９５％である。【選択図】図１
2019047880.tif 000002
【特許請求の範囲】
【請求項１】
枕カバーを構成する生地が複数の領域から構成され、それぞれの領域が編布または織布からなり、
隣り合う領域が、編み方または織り方が異なるか、および/または、糸の種類が異なる
ことを特徴とする枕カバー。
【請求項２】
前記糸が、合成繊維、天然繊維、半合成繊維、再生繊維、これらの混合繊維の少なくとも１種からなり、太さ１００〜８００デニール、伸度１０〜１００％であることを特徴とする請求項１に記載の枕カバー。
【請求項３】
前記枕カバーに、中材として見掛け密度が１５〜２０ｇ／ｍ３でＪＩＳ６４００-２  ２０１２における４０％圧縮硬さが３０〜８０Ｎの発泡ウレタンを挿入した際の、隣り合う領域の一方の領域の４０％圧縮硬さが、他方の領域の４０％圧縮硬さの１０〜９５％であることを特徴とする請求項１または２に記載の枕カバー。
【発明の詳細な説明】
【技術分野】
【０００１】
本発明は、内部に蕎麦殻や合成樹脂発泡ビーズあるいは合成樹発泡体等の中材が充填されてなる枕に使用される枕カバーに関し、枕カバーの複数の領域から構成される生地を領域ごとに伸びや風合いを変えることで、枕として部分的に硬さを変えることができ、使用感に優れた枕とするための枕カバーに関する。
【０００２】
従来、枕自体はもとより、蕎麦殻や発泡ウレタン等のような枕の中に入れる中材または、これら中材を入れる枕カバー材についての提案が多数なされている。
例えば、
（１）特開２０１６−１０６９０８（特許文献１）において、枕内部に複数の隔室を設け、各隔室に充填材（中材）を出し入れ可能にし、使用者の好みに応じて、中材の充填量等を変更して高さや硬さを自由に調整できるようにした枕、
（２）特開平１１−４７４０（特許文献２）において、概略矩形状のメインクッション材上に、四隅領域を高くし中央領域を低くした頸椎支持用の補助クッション材を積層し、これらをプロファイル加工したソフトクッション材で覆った枕でメインクッション材と補助クッション材の硬さ変えてもよい、
（３）実用新案登録３２０２２４５（特許文献３）において、伸縮性の糸で編成した矩形状の布を、長手方向に輪状に折り畳み、折り畳んだ端部を、中央部付近に開口部を残して逢着し、上下端部を逢着して、四隅が外側方向に膨らむ円弧状に形成した枕カバー、このとき、矩形状の布は、縦、横方向ともに１０％以上の伸縮性を有していてもよい、
等があり、また、
（４）特開２００６−２１２１６０（特許文献４）において、少なくとも一部がカバード糸製の編物又は織物で製造された寝具用カバーであって、該カバード糸の芯部が弾性又は伸縮性繊維製であり、該弾性又は伸縮性繊維の重量がカバード糸の総重量の１〜２０％を占めており、この寝具用カバーを使用したピロケース、
等の提案がなされている。
【先行技術文献】
【特許文献】
【０００３】
【特許文献１】特開２０１６−１０６９０８
【特許文献２】特開平１１−４７４０
【特許文献３】実用新案登録３２０２２４５
【特許文献４】特開２００６−２１２１６０
【０００４】
上記のように、枕カバーに関しては、縫製の仕方を特定した上記（３）の他、上記（４）の芯部を弾性又は伸縮性とした特殊なカバード糸を使用して伸縮性に優れたものとする提案があるが、いずれの提案も、枕カバー調製時の便宜さ（３）、あるいはベッドメーキング時の便宜さ（４）であり、就寝時の枕使用者の使用感に関する提案ではない。
枕の中材に関しては、周知の通り、枕内部に充填する中材の種類、例えば、蕎麦殻、発泡ウレタン、ビーズ、パイプ等を変更したり、あるいは充填する量を変更するなどして、枕の硬さを調整するものもある。また、中材の材質や硬さを部分的に異ならして使用感を高めたものがある。
【０００５】
就寝時の枕使用者の使用感に関しては、上記（１）の提案で枕の中材の充填量を特定することで高さ、硬さを調整するもの、あるいは上記（２）で複数の中材を部分的に変更することで高さ、硬さを調整するものであり、使用感を高めることができるが、生産する上で工程が増えるなど煩雑である。
【発明の概要】
【発明が解決しようとする課題】
【０００６】
本発明は、上記のような従来の中材の種類や組合せを調整するのではなく、また上記のような縫製の仕方でもなく、ベッドメーキング時の便宜さを目的とした枕カバーでもなく、就寝時の使用感を向上させることができる枕カバーを特定の構成とすることにより、枕カバーのみで中材の種類や組合せあるいは充填する量を変更することなく、就寝時の使用感を優れたものとすることができる枕カバーを提案することを課題とする。
【課題を解決するための手段】
【０００７】
上記課題を解決するために、本発明の枕カバーは、枕カバーを構成する生地が複数の領域から構成されそれぞれの領域が編布、または織布からなり、隣り合う領域が、編み方または織り方が異なるか、および/または、糸の種類が異なることを特徴とする。
前記糸は、合成繊維、天然繊維、半合成繊維、再生繊維、これらの混合繊維の少なくとも１種からなり、太さ１００〜８００デニール、伸度１０〜１００％であってよく、上記糸は１本で使用してもよいし、２本以上の複数本を纏めたり、再度撚り合わせたりして使用してもよい。
また、前記枕カバーに、中材として見掛け密度が１５〜２０ｇ／ｍ３でＪＩＳ６４００-２  ２０１２における４０％圧縮硬さが３０〜８０Ｎの発泡ウレタンを挿入した際の、隣り合う領域の一方の領域の４０％圧縮硬さが、他方の領域の４０％圧縮硬さの１０〜９５％であってよい。
【発明の効果】
【０００８】
本発明の枕カバーによれば、カバー自体の伸縮性により、枕自体の所要領域の硬さを変えることができる。従って、従来のように、枕の中材の種類や組合せあるいは充填する量を調整せずに、同一種類、同一充填量の中材を使用して、本発明の枕カバーによって使用者の好み等に応じて、枕自体の所要領域の硬さを調整した枕を提供することができる。
【図面の簡単な説明】
【０００９】
【図１】本発明の枕カバーの一実施態様例を示す説明図である。
【図２】本発明の枕カバーの他の実施態様例を示す説明図である。
【図３】本発明の枕カバーの更に他の実施態様例を示す説明図である。
【図４】本発明の枕カバーの更に他の実施態様例を示す説明図である。
【発明を実施するための形態】
【００１０】
本発明において、枕カバーを構成する複数の領域からなる生地は、適宜の隣り合う領域が編布と編布、織布と織布、あるいは編布と織布の組み合わせからなっており、これら隣り合う領域の編布または織布は編み方または織り方が異なるか、および/または、糸の種類が異なるか、これらの双方が異なっている。
このような組合せとすることにより、枕カバー用生地材の隣り合う領域に伸度の差が生じ、この伸度の差が中材を入れた枕自体の硬さの差となって現れる。すなわち、枕カバー用生地の伸度が大きく伸び易い領域は中材を入れた枕とした際に柔らかく感じ、枕カバー用生地の伸度が小さく伸び難い領域は中材を入れた枕とした際に硬く感じる。
【００１１】
大小の伸度を得る手法は、本発明では、上記のように、適宜の隣り合う領域を、編布と編布、織布と織布、編布と織布の３つの組み合わせから適宜の組み合わせを選べばよい。
そして、編布の伸度を変えるには、上記のように、編み方を変えるか、糸の種類を変えるか、これらの双方を変えればよい。織布の伸度を変えるにも、上記のように、織り方を変えるか、糸の種類を変えるか、これらの双方を変えればよい。
なお、編布の編み方は、特に制限せず、従来から知られている中から適宜選択すればよく、織布の織り方も、特に制限せず、従来から知られている中から適宜選択すればよい。
また、編布および織布に使用される糸の種類も特に制限せず、合成繊維（ポリエステル、ナイロン、アクリル、ポリウレタン、ポリオレフィン等）、天然繊維（毛、絹等の動物性、セルロース、麻、綿などの植物性のもの）、半合成繊維（パルプ、アセテート、トリアセテート、プロミックス等）、再生繊維（レーヨン、キュプラ、リヨセル等）、これらの混合繊維の少なくとも１種からなるものであればよい。但し、枕カバーに使用する上で好適には、太さ１００〜８００デニール、伸度１０〜１００％であることが好ましい。
【００１２】
さらに、本発明の枕カバーに中材として見掛け密度が１５〜２０ｇ／ｍ３でＪＩＳ６４００-２  ２０１２における４０％圧縮硬さが３０〜８０Ｎの発泡ウレタンを挿入した際の、隣り合う領域の一方の領域の４０％圧縮硬さが、他方の領域の４０％圧縮硬さの１０〜９５％が適している。
すなわち、枕における頭の保持性は、一般には、硬い領域で後頭部を支え、柔らかい領域で首部を包み込むことで、使用者が良好に感じることができるとされており、また使用感は、中央部を柔らかく、当該中央部の両側部をより硬くすることで、就寝中の頭の過度の動きを抑えることができるため、使用者が良好と感じることができるとされている。このような作用効果は、隣り合う領域、言い換えれば、硬い領域と柔らかい領域の硬さの差を、上記の範囲内で適宜選定することで得ることができる。
【００１３】
なお、枕カバーの生地において隣り合う領域を編布同士の組み合わせとする場合は、境界線が無いため、滑らかな表面状態となり使用感は良好であるが、織布同士、あるいは編布と織布の組み合わせとする場合、一般には、織布同士の縫合線、織布と編布を繋ぐ境界線が生じてしまうため、これらの縫合線や境界線を解消する織り方や編み方にする必要があり、特殊な設備に要する費用や、製造費用が高騰してしまう。
【実施例】
【００１４】
〔実施例１〕
図１の説明図に示す枕カバーを作製した。
図１は、平坦な筒状の枕カバーＰＣに編成した状態の生地材を示しており、同図（Ａ）が一方側の表面で、本例では、反対側の表面も同図（Ａ）と同一形状に作製されており、同図（Ｂ）が枕カバーＰＣを裏返した裏面である。
同図（Ａ），（Ｂ）において、符号１００は平坦な筒状体１の開口端部、符号１０１は閉口端部である。
【００１５】
図１（Ａ），（Ｂ）において、領域１は、平坦な筒状体を呈する枕カバーＰＣの本体を兼ねており、太さ４５０デニール、伸度４１％のポリエステル製糸を用い、本例では、横編機（島津製作所社製商品名“ホールガーメント横編機ＳＷＧＯ６１Ｎ２”）で平編み編成し、この筒状体領域１に重ねて、領域２を、太さ５６０デニール、伸度３２％のアクリル製糸を用い、上記と同じ横編機で、同図（Ａ）に示す形状に平編み編成した。
従って、本例では、領域２の部分は、本体を兼ねる領域１との２重構造となっており、この枕カバーＰＣを裏返した裏面は、図１（Ｂ）に示すように、本体を兼ねる領域１のみが表れている。
【００１６】
上記のように、本例の枕カバーＰＣは、一方側面も他方側面も同一形状となるため、この枕カバーＰＣの使用者は、枕の載置方向を、天地を入れ替えることもできる。
【００１７】
〔実施例２〕
図２の説明図に示す枕カバーを作製した。
図２の生地材も、平坦な筒状の枕カバーＰＣに編成した状態の生地材を示しており、同図中、図１と同一符号は図１と同一部位を示している。なお、本例でも、枕カバーＰＣは、一方側面も他方側面も同一形状に編成している。
図２において、領域１は、太さ１００デニール、伸度１００％のポリエステル製糸を用い、図１と同じ横編機で筒状体に平編み編成し、所定長さ分だけ編んだ後、これに続いて、領域２を、太さ８００デニール、伸度１０％のアクリル製糸を用い、上記と同じ横編機で、図２に示す形状に平編み編成した。すなわち、領域１と領域２は連続した領域となっており、図１のような重なった２重構造の領域ではない。
【００１８】
〔実施例３〕
図３の説明図に示す枕カバーを作製した。
図３の生地材も、平坦な筒状の枕カバーＰＣに編成した状態の生地材を示しており、同図中、図１，２と同一符号は図１，２と同一部位を示している。なお、本例でも、枕カバーＰＣは、一方側面も他方側面も同一形状に編成している。
図３において、領域１は、太さ１００デニール、伸度１００％のアクリル製糸を用い、図１，２と同じ横編機で筒状体に平編み編成し、所定長さ分だけ編んだ後、これに続いて、領域２を、太さ８００デニール、伸度１０％のポリエステル製糸を用い、上記と同じ横編機で、図３に示す形状に平編み編成した。すなわち、領域１と領域２は図２の場合と同様に連続した領域となっており、図１のような重なった２重構造の領域ではない。
【００１９】
〔実施例４〕
図４の説明図に示す枕カバーを、次のようにして作製した。
図４において、領域１１の部分は、太さ４５０デニール、伸度４１％のポリエステル製糸を用い、図１と同じ横編機で筒状体に平編み編成するが、所定長さ分だけ編んだ後、太さ５６０デニール、伸度３２％のアクリル製糸を用いて平織した織布からなる領域２１を繋ぎ、この織布領域２１に続けて領域１２を上記の領域１１と同様に編成し、所定長さ分だけ編んだ後、上記の領域２１と同じ織布領域２２を繋ぎ、この織布領域２２に続けて上記の編布領域１２と同様に編成して編布領域１３を編成した。
【００２０】
〔実施例５〕
実施例４と同様にするが、図４中、領域１１，１２，１３も織布とした。
すなわち、図４において、領域１１の部分は、太さ４５０デニール、伸度４１％のポリエステル製糸を用い、実施例４における領域２１と同様にして平織したもので構成し、この織布領域１１に、実施例４で領域２１に使用したものと同じ太さ５６０デニール、伸度３２％のアクリル製糸を用いた平織織布２１を繋ぎ、続いてこの平織織布領域２１に上記の織布領域１１と同じ平織織布１２を繋ぎ、更に平織織布２２、平織織布１３を繋いだ。要するに、種類の異なる糸で平織した領域１１−領域２１−領域１２−領域２２−領域１３を繋いで枕カバーとした。
【００２１】
〔評価〕
実施例１〜５で作製した枕カバーについて、これら枕カバー内に中材として、アキレス社製ウレタンフォーム品番：ＡＥＹ（見掛け密度１７ｇ／ｍ３、ＪＩＳ６４００-２  ２０１２における４０％圧縮硬さ６０Ｎ）の直方体を充填した。このときの中材の体積は、実施例１〜５の枕カバーの内容積の約９５％となるようにした。
この状態のものの領域１と領域２においてＪＩＳ  Ｋ６４００−２  ２０１２に準拠して、厚み方向に４０％圧縮し、３０秒後の力（Ｎ）を測定し、４０％圧縮硬さを測定した。
その結果は、表１の通りであった。なお、実施例４と実施例５の領域１は領域１１，１２，１３・・・全領域の平均値、領域２は領域２１，２２，２３・・・全領域の平均値であり、表１に記載の領域１と領域２の比率（％）は、領域１の平均硬さ[Ｎ]と領域２の平均硬さ[Ｎ]の比率、すなわち（領域１[Ｎ]／領域２[Ｎ]）×１００である。
【００２２】
【表１】
2019047880.tif 000003
【００２３】
上記の中材を充填した実施例１〜４の枕カバーを実際に使用したところ、実施例１のものは、長手方向の中央部に長手方向に所定長さ分設けられている編布領域２が、後頭部を良好な使用感で支持し、図１（Ａ）において両端部に位置する領域２が、寝返り時の側頭部を抑えて枕からのずり落ちを防止し、領域１が頸椎部を柔らかく包み込む感じを得た。
実施例２のものは、中央部の領域１が後頭部および頸椎部を柔らかく包み込み、両側の領域２が側頭部を抑えて過度な動きを防止する感じを得た。
実施例３のものは実施例１と実施例２を合わせた使用感が得られるが、領域１と領域２の硬さの差がやや少ないため、実施例１や実施例２に比べて、良好感がやや小さかった。
実施例４と実施例５のものは実施例２と同様の使用感が得られた。
【符号の説明】
【００２４】
ＰＣ    枕カバー
１，１１，１２，１３    柔軟な領域
２，２１，２２，２３    比較的硬い領域
１００    開口端部
１０１    閉口端部
【図１】
2019047880.tif 000004
【図２】
2019047880.tif 000005
【図３】
2019047880.tif 000006
【図４】
2019047880.tif 000007